(57)【要約】【課題】ユニット化に適し、放熱性に優れた蓄電モジュール及び蓄電ユニットを提供すること。【解決手段】本発明に係る蓄電モジュールは、第１の蓄電セルと、第２の蓄電セルと、フレームと、第１のプレートと、第２のプレートとを具備する。第１の蓄電セルは、正極及び負極を有する第１の蓄電素子と、電解質と共に第１の蓄電素子を封止する第１の外装フィルムとを備える。第２の蓄電セルは、正極及び負極を有する第２の蓄電素子と、電解質と共に第２の蓄電素子を封止する第２の外装フィルムとを備え、第１の蓄電セルに直接又は間接的に積層されている。フレームは、第１の蓄電セルと前記第２の蓄電セルを収容する収容空間を形成する。第１のプレートは、金属からなり、フレームに接合されている。第２のプレートは、金属からなり、フレームに接合され、第１のプレートと共に第１の蓄電セル及び第２の蓄電セルを挟持する。【選択図】図２
2017069486.tif 000002
【特許請求の範囲】
【請求項１】
正極及び負極を有する第１の蓄電素子と、電解質と共に前記第１の蓄電素子を封止する第１の外装フィルムとを備える第１の蓄電セルと、
正極及び負極を有する第２の蓄電素子と、電解質と共に前記第２の蓄電素子を封止する第２の外装フィルムとを備え、前記第１の蓄電セルに直接又は間接的に積層された第２の蓄電セルと、
前記第１の蓄電セルと前記第２の蓄電セルを収容する収容空間を形成するフレームと、
金属からなり、前記フレームに接合される第１のプレートと、
金属からなり、前記フレームに接合され、前記第１のプレートと共に前記第１の蓄電セル及び前記第２の蓄電セルを挟持する第２のプレートと
を具備する蓄電モジュール。
【請求項２】
請求項１に記載の蓄電モジュールであって、
前記第１の蓄電セルと前記第１のプレートの間に配置され、前記第１の蓄電セルと前記第１のプレートに当接する第１の伝熱部材と、
前記第２の蓄電セルと前記第２のプレートの間に配置され、前記第２の蓄電セルと前記第２のプレートに当接する第２の伝熱部材と
をさらに具備する蓄電モジュール。
【請求項３】
請求項１又は２に記載の蓄電モジュールであって、
前記フレームは、前記第１の蓄電セル及び前記第２の蓄電セルに電気的に接続された正極端子と負極端子とを備え、
前記正極端子と前記負極端子は、前記フレームの一面において対称に配置されている
蓄電モジュール。
【請求項４】
正極及び負極を有する第１の蓄電素子と、電解質と共に前記第１の蓄電素子を封止する第１の外装フィルムとを備える第１の蓄電セルと、
正極及び負極を有する第２の蓄電素子と、電解質と共に前記第２の蓄電素子を封止する第２の外装フィルムとを備え、前記第１の蓄電セルに直接又は間接的に積層された第２の蓄電セルと、
前記第１の蓄電セルと前記第２の蓄電セルを収容する収容空間を有するフレームと、
金属からなり、前記フレームに接合される第１のプレートと、
金属からなり、前記フレームに接合され、前記第１のプレートと共に前記第１の蓄電セル及び前記第２の蓄電セルを挟持する第２のプレートと
を備える蓄電モジュールが複数連結された蓄電ユニット。
【請求項５】
請求項４に記載の蓄電ユニットであって、
複数の前記蓄電モジュールの間に配置され、
前記第１のプレート又は前記第２のプレートに当接する冷却ジャケット
をさらに具備する蓄電ユニット。
【請求項６】
請求項４に記載の蓄電ユニットであって、
前記フレームは、前記第１の蓄電セル及び前記第２の蓄電セルに電気的に接続された正極端子と負極端子とを備え、前記正極端子と前記負極端子は、前記フレームの一面において対称に配置され、
前記蓄電ユニットは、一つの前記蓄電モジュールの前記正極端子又は前記負極端子と、他の前記蓄電モジュールの前記正極端子又は前記負極端子を連結する連結部材をさらに具備する
蓄電ユニット。
【発明の詳細な説明】
【技術分野】
【０００１】
本発明は、蓄電セルを内蔵する蓄電モジュール及び複数の蓄電モジュールをユニット化した蓄電ユニットに関する。
【背景技術】
【０００２】
電池やキャパシタ等の蓄電セルを備える蓄電モジュールは広く普及しており、複数の蓄電モジュールを連結してユニット化し、蓄電容量を増加させることも広く行われている（例えば特許文献１及び２）。
【０００３】
一方で、複数の蓄電モジュールをユニット化すると、蓄電セルによる発熱が問題となる。特に、内部に配置された蓄電モジュールと外周部に配置された蓄電モジュールの温度差が大きいと、蓄電モジュールの寿命が不均等になる等の問題が生じる。蓄電モジュールの間隔を大きくしてユニット化すれば発熱の問題は解消できるが、ユニットサイズが大きくなり、設置自由度の点からも望ましくない。
【先行技術文献】
【特許文献】
【０００４】
【特許文献１】特開２０１３−１０６４３４号公報
【特許文献２】特開２０１３−０６８１８６号公報
【発明の概要】
【発明が解決しようとする課題】
【０００５】
以上のような事情に鑑み、本発明の目的は、ユニット化に適し、放熱性に優れた蓄電モジュール及び蓄電ユニットを提供することにある。
【課題を解決するための手段】
【０００６】
上記目的を達成するため、本発明の一形態に係る蓄電モジュールは、第１の蓄電セルと、第２の蓄電セルと、フレームと、第１のプレートと、第２のプレートとを具備する。
上記第１の蓄電セルは、正極及び負極を有する第１の蓄電素子と、電解質と共に上記第１の蓄電素子を封止する第１の外装フィルムとを備える。
上記第２の蓄電セルは、正極及び負極を有する第２の蓄電素子と、電解質と共に上記第２の蓄電素子を封止する第２の外装フィルムとを備え、上記第１の蓄電セルに直接又は間接的に積層されている。
上記フレームは、上記第１の蓄電セルと上記第２の蓄電セルを収容する収容空間を形成する。
上記第１のプレートは、金属からなり、上記フレームに接合されている。
上記第２のプレートは、金属からなり、上記フレームに接合され、上記第１のプレートと共に上記第１の蓄電セル及び上記第２の蓄電セルを挟持する。
【０００７】
この構成によれば、第１の蓄電セル及び第２の蓄電セルにおいて生じる熱は、第１のプレート及び第２のプレートに伝達され、第１のプレート及び第２のプレートから放熱されるため、蓄電モジュールは高い放熱効果を備える。蓄電モジュールをユニット化する際にも、第１の蓄電セル及び第２の蓄電セルにおいて生じる熱は第１のプレート及び第２のプレートを介して隣接する蓄電モジュールに伝達され、各蓄電モジュールの温度分布が均一化される。また、第１の蓄電セルと第２の蓄電セルは互いに直接又は間接的に積層されているため、各蓄電セルの温度バラツキを低減することが可能である。
【０００８】
上記蓄電モジュールは、上記第１の蓄電セルと上記第１のプレートの間に配置され、上記第１の蓄電セルと上記第１のプレートに当接する第１の伝熱部材と、上記第２の蓄電セルと上記第２のプレートの間に配置され、上記第２の蓄電セルと上記第２のプレートに当接する第２の伝熱部材とをさらに具備してもよい。
【０００９】
この構成によれば、第１の蓄電セルと第１のプレートの間と第２の蓄電セルと第２のプレートの間の熱伝導性を向上させることが可能となる。
【００１０】
上記フレームは、上記第１の蓄電セル及び上記第２の蓄電セルに電気的に接続された正極端子と負極端子とを備え、上記正極端子と上記負極端子は、上記フレームの一面において対称に配置されていてもよい。
【００１１】
この構成によれば、ユニット化に際して蓄電モジュールの向きを変更することにより正極端子と負極端子の位置を入れ替えることができ、蓄電モジュールを種々の態様でユニット化することが可能である。
【００１２】
上記目的を達成するため、本発明の一形態に係る蓄電ユニットは、蓄電モジュールが複数連結されて構成されている。上記蓄電モジュールは、第１の蓄電セルと、第２の蓄電セルと、フレームと、第１のプレートと、第２のプレートとを具備する。
上記第１の蓄電セルは、正極及び負極を有する第１の蓄電素子と、電解質と共に上記第１の蓄電素子を封止する第１の外装フィルムとを備える。
上記第２の蓄電セルは、正極及び負極を有する第２の蓄電素子と、電解質と共に上記第２の蓄電素子を封止する第２外装フィルムとを備え、上記第１の蓄電セルに直接又は間接的に積層されている。
上記フレームは、上記第１の蓄電セルと上記第２の蓄電セルを収容する収容空間を形成する。
上記第１のプレートは、金属からなり、上記フレームに接合されている。
上記第２のプレートは、金属からなり、上記フレームに接合され、上記第１のプレートと共に上記第１の蓄電セル及び上記第２の蓄電セルを挟持する。
【００１３】
上記蓄電ユニットは、上記第１のプレート又は上記第２のプレートに当接する冷却ジャケットをさらに具備してもよい。
【００１４】
この構成によれば、冷却ジャケットによって第１のプレート及び第２のプレートの一方又は両方が強制的に冷却されるため、蓄電モジュールの放熱効果をさらに向上させることが可能となる。
【００１５】
上記フレームは、上記第１の蓄電セル及び上記第２の蓄電セルに電気的に接続された正極端子と負極端子とを備え、上記正極端子と上記負極端子は、上記フレームの一面において対称に配置され、上記蓄電ユニットは、一つの上記蓄電モジュールの上記正極端子又は上記負極端子と、他の上記蓄電モジュールの上記正極端子又は上記負極端子を連結する連結部材をさらに具備してもよい。
【発明の効果】
【００１６】
以上のように本発明によれば、ユニット化に適し、放熱性に優れた蓄電モジュール及び蓄電ユニットを提供することが可能となる。
【図面の簡単な説明】
【００１７】
【図１】本発明の実施形態に係る蓄電モジュールの斜視図である。
【図２】同蓄電モジュールの分解斜視図である。
【図３】同蓄電モジュールが備える蓄電セルの斜視図である。
【図４】同蓄電モジュールが備える蓄電セルの断面図である。
【図５】同蓄電モジュールの端子配置を示す模式図である。
【図６】本発明の実施形態に係る蓄電ユニットの斜視図である。
【図７】本発明の実施形態に係る蓄電ユニットの斜視図である。
【図８】本発明の実施形態に係る蓄電ユニットの斜視図である。
【図９】本発明の実施形態に係る蓄電ユニットの斜視図である。
【図１０】本発明の実施形態に係る蓄電ユニットの斜視図である。
【図１１】本発明の実施形態に係る蓄電ユニットの斜視図である。
【発明を実施するための形態】
【００１８】
本発明の実施形態に係る蓄電モジュールについて説明する。
【００１９】
［蓄電モジュールの構成］
図１は、本実施形態に係る蓄電モジュール１０の斜視図であり、図２は蓄電モジュール１０の分解斜視図である。なお、以下の図面において、Ｘ方向、Ｙ方向及びＺ方向は互いに直交する三方向である。
【００２０】
図１及び図２に示すように、蓄電モジュール１０は、フレーム１１、蓄電セル１２（１２Ａ〜１２Ｄ）、第１電圧検出基板１３、第２電圧検出基板１４、コネクタ基板１５、第１プレート１６、第２プレート１７、第１伝熱絶縁シート１８及び第２伝熱絶縁シート１９を備える。蓄電モジュール１０は４つの蓄電セル１２を備えており、各蓄電セル１２を蓄電セル１２Ａ、１２Ｂ、１２Ｃ及び１２Ｄとする。
【００２１】
フレーム１１は、中空の枠状部材であり、蓄電セル１２の収容空間を形成する。フレーム１１の一面には、コネクタ孔１１ａ、ネジ孔１１ｂ、正極端子１１ｃ、負極端子１１ｄ及び極性表示１１ｅが設けられている。コネクタ孔１１ａは、フレーム１１に二つが設けられているが、一つ又は三つ以上が設けられてもよい。
【００２２】
ネジ孔１１ｂは、フレーム１１に二つが設けられており、正極端子１１ｃ及び負極端子１１ｄはネジ孔１１ｂの周囲にそれぞれ設けられている。極性表示１１ｅは正極端子１１ｃ及び負極端子１１ｄの近傍に一つずつが設けられており、正極端子１１ｃ及び負極端子１１ｄの極性（＋又は−）を表す表示である。
【００２３】
フレーム１１は、インサート成型により形成され、合成樹脂からなる樹脂部材の内部に金属材料からなるバスバーが埋設された構成を有する。バスバーは蓄電セル１２に電気的に接続されると共にネジ孔１１ｂの周囲において露出し、正極端子１１ｃ及び負極端子１１ｄを形成する。
【００２４】
蓄電セル１２（１２Ａ〜１２Ｄ）は、蓄電及び放電が可能なセルであり、リチウムイオンキャパシタ、電気二重層キャパシタ又はリチウムイオン二次電池等である。図３は蓄電セル１２の斜視図であり、図４は蓄電セル１２の断面図である。
【００２５】
これらの図に示すように、蓄電セル１２は、蓄電素子１２１、外装フィルム１２２、正極タブ１２３、負極タブ１２４、正極導体１２５及び負極導体１２６を備える。
【００２６】
蓄電素子１２１は、正極１２７、負極１２８及びセパレータ１２９から構成され、正極１２７及び負極１２８はセパレータ１２９を介して交互に積層されている。
【００２７】
正極１２７は、正極活物質を含み、金属からなる正極集電体の表裏両面に、正極活物質が積層されて構成されたものとすることができる。正極活物質は例えば活性炭であり、蓄電セル１２の種類に応じて適宜変更することができる。
【００２８】
負極１２８は、負極活物質を含み、金属からなる負極集電体の表裏両面に、負極活物質が積層されて構成されたものとすることができる。負極活物質は例えば炭素系材料であり、蓄電セル１２の種類に応じて適宜変更することができる。
【００２９】
セパレータ１２９は、正極１２７と負極１２８の間に配置され、電解質を通過させると共に正極１２７と負極１２８の接触を防止（絶縁）する。セパレータ１２９は、織布、不織布又は合成樹脂微多孔膜等であるものとすることができ、セルロース系やポリオレフィン系の材料を使用できる。
【００３０】
蓄電素子１２１を構成する正極１２７及び負極１２８の層数は特に限定されず、正極１２７と負極１２８がセパレータ１２９を介して交互に積層された構成であればよい
【００３１】
蓄電素子１２１は、電解質と共に外装フィルム１２２によって封止されている。電解質は特に限定されず、蓄電セル１２の種類に応じて適宜変更することができる。外装フィルム１２２は、金属箔の表裏に合成樹脂を積層したラミネートフィルムとすることができ、二枚の外装フィルム１２２が蓄電素子１２１の周縁において融着され、内部を封止する。
【００３２】
外装フィルム１２２には、正極タブ１２３および負極タブ１２４が互いに離間して挟み込まれている。正極タブ１２３は、配線又は箔である正極導体１２５によって正極１２７に導通し、負極タブ１２４は、配線又は箔である負極導体１２６によって負極１２８に導通する。
【００３３】
各蓄電セル１２の正極タブ１２３及び負極タブ１２４は、フレーム１１に埋設されたバスバーによって、正極端子１１ｃ及び負極端子１１ｄに電気的に接続されている。
【００３４】
図２に示すように、第１プレート１６側の蓄電セル１２（１２Ａ及び１２Ｂ）と第２プレート１７側の蓄電セル１２（１２Ｃ及び１２Ｄ）がそれぞれＺ方向に積層され、蓄電モジュール１０に収容されている。なお、各蓄電セル１２は、互いに直接積層されてもよく、放熱部材を介して間接的に積層されてもよい。蓄電モジュール１０は４つの蓄電セル１２を備えるものとすることができるが、これに限定されず、二つの蓄電モジュール１０がＺ方向に積層された組を一つ又は複数備えるものとすることができる。即ち蓄電モジュール１０は、偶数個の蓄電モジュール１０を備えるものとすることができる。
【００３５】
第１電圧検出基板１３は、第１プレート１６側の蓄電セル１２（１２Ａ及び１２Ｂ）の電圧を監視する。第１電圧検出基板１３はフレーム１１に固定され、蓄電セル１２Ａ及び１２Ｂの正極タブ１２３及び負極タブ１２４に電気的に接続されている。
【００３６】
第２電圧検出基板１４は、第２プレート１７側の蓄電セル１２（１２Ｃ及び１２Ｄ）の電圧を監視する。第２電圧検出基板１４は、フレーム１１に固定され、蓄電セル１２Ｃ及び１２Ｄの正極タブ１２３及び負極タブ１２４に電気的に接続されている。
【００３７】
コネクタ基板１５は、コネクタ１５１及びコネクタ１５２及び信号処理回路等を備える。コネクタ１５１は、配線を介して第１電圧検出基板１３及び第２電圧検出基板１４に接続され、各蓄電セル１２において検出された電圧が入力される。コネクタ１５２は、コネクタ孔１１ａに挿通され、検査用の外部機器が接続される。
【００３８】
第１プレート１６は、アルミニウム等の金属材料からなる平板状の部材であり、フレーム１１に接合される。第１プレート１６は、ネジによってフレーム１１にネジ止めされるものとすることができるが、他の固定方法によってフレーム１１に接合されてもよい。
【００３９】
第２プレート１７は、アルミニウム等の金属材料からなる平板状の部材であり、フレーム１１に接合される。第２プレート１７は、ネジによってフレーム１１にネジ止めされるものとすることができるが、他の固定方法によってフレーム１１に接合されてもよい。
【００４０】
第１伝熱絶縁シート１８は、第１プレート１６に貼付されているシート状の部材であり、熱伝導性及び絶縁性が高い材料からなる。第１伝熱絶縁シート１８は、第１プレート１６がフレーム１１に固定されると第１プレート１６側の蓄電セル１２（１２Ａ及び１２Ｂ）と第１プレート１６によって挟持され、これらの蓄電セル１２の熱を第１プレート１６に伝達する。
【００４１】
第２伝熱絶縁シート１９は、第２プレート１７に貼付されているシート状の部材であり、熱伝導性及び絶縁性が高い材料からなる。第２伝熱絶縁シート１９は、第２プレート１７がフレーム１１に固定されると第２プレート１７側の蓄電セル１２（１２Ｃ及び１２Ｄ）と第２プレート１７によって挟持され、これらの蓄電セル１２の熱を第２プレート１７に伝達する
【００４２】
蓄電モジュール１０は以上のような構成を有する。フレーム１１に各蓄電セル１２が収容され、第１プレート１６及び第２プレート１７がフレーム１１に接合されると、第１プレート１６及び第２プレート１７によって第１伝熱絶縁シート１８、蓄電セル１２及び第２伝熱絶縁シート１９が挟持される。蓄電セル１２Ａと蓄電セル１２Ｃは互いに押圧され、蓄電セル１２Ｂと蓄電セル１２Ｄは互いに押圧される。
【００４３】
これにより、蓄電セル１２Ａ及び蓄電セル１２Ｂにおいて生じた熱は第１伝熱絶縁シート１８を介して第１プレート１６に伝達され、放熱される。また、蓄電セル１２Ｃ及び蓄電セル１２Ｄにおいて生じた熱は第２伝熱絶縁シート１９を介して第２プレート１７に伝達され、放熱される。第１プレート１６及び第２プレート１７は共に金属材料からなるため、高い放熱効果を有する。
【００４４】
また、各蓄電セル１２もＺ方向に積層されている他の蓄電セル１２と当接しているため、各蓄電セル１２の温度バラツキを低減することが可能であり、温度バラツキを３℃程度とすることが可能である。さらに、蓄電モジュール１０は、フレーム１１を第１プレート１６及び第２プレート１７で挟み込んだ構造となっているため、薄型化が可能であり、たわみやねじりにも強い構造となっている。
【００４５】
［端子の配置について］
図５は、上下が異なる二つの蓄電モジュール１０を示す模式図である。同図に示すように、正極端子１１ｃ及び負極端子１１ｄは、蓄電モジュール１０の一面において対称に配置されている。このため、蓄電モジュール１０の上下を逆にすると、ネジ孔１１ｂの位置はそのままで正極端子１１ｃと負極端子１１ｄの位置が入れ替わる。これにより、後述するように蓄電モジュール１０を多様な形態でユニット化することが可能となる。
【００４６】
［蓄電ユニットについて］
図６は、本実施形態に係る蓄電ユニット１００の模式図である。同図に示すように蓄電ユニット１００は、複数の蓄電モジュール１０（１０Ａ及び１０Ｂ）がＺ方向に連結されて構成されている。
【００４７】
具体的には、蓄電ユニット１００は、第２プレート１７（図２参照）をＺ方向下方とする蓄電モジュール１０Ａと、第１プレート１６（図２参照）をＺ方向下方とする蓄電モジュール１０Ｂを交互に積層し、隣接する蓄電モジュール１０Ａと蓄電モジュール１０Ｂを複数の連結部材１１０によって連結した構成を有する。
【００４８】
各連結部材１１０は導電性材料からなり、ネジ孔１１ｂに挿通されるネジ１１０ａによって二つの隣接する蓄電モジュール１０を連結し、両蓄電モジュール１０の正極端子１１ｃ（図１参照）と負極端子１１ｄ（図１参照）を電気的に接続する。
【００４９】
このように、各蓄電モジュール１０は、連結部材１１０によって正極端子１１ｃが一方の隣接する蓄電モジュール１０の負極端子１１ｄに接続され、負極端子１１ｄは他方の隣接する蓄電モジュール１０の正極端子１１ｃに接続されている。これにより、各蓄電モジュール１０は直列に接続されている。
【００５０】
図７は、本実施形態に係る別の蓄電ユニット２００の模式図である。同図に示すように蓄電ユニット２００は、複数の蓄電モジュール１０（１０Ａ及び１０Ｂ）がＸ方向及びＺ方向に連結されて構成されている。
【００５１】
具体的には、蓄電ユニット２００は、蓄電モジュール１０ＡがＸ方向に配列した蓄電モジュール１０Ａの列と、蓄電モジュール１０ＢがＸ方向に配列した蓄電モジュール１０Ｂの列がＺ方向に積層され、隣接する蓄電モジュール１０が複数の連結部材２１０によって連結された構成を有する。
【００５２】
各連結部材２１０は導電性材料からなり、ネジ孔１１ｂに挿通されるネジ２１０ａによって二つの隣接する蓄電モジュール１０を連結し、両蓄電モジュール１０の正極端子１１ｃと負極端子１１ｄを電気的に接続する。
【００５３】
このように、各蓄電モジュール１０は、連結部材２１０によって正極端子１１ｃが一方の隣接する蓄電モジュール１０の負極端子１１ｄに接続され、負極端子１１ｄは他方の隣接する蓄電モジュール１０の正極端子１１ｃに接続されている。これにより、各蓄電モジュール１０は直列に接続されている
【００５４】
図８は、本実施形態に係る別の蓄電ユニット３００の模式図である。同図に示すように蓄電ユニット３００は、複数の蓄電モジュール１０（１０Ａ及び１０Ｂ）がＸ方向及びＺ方向に連結されて構成されている。
【００５５】
具体的には、蓄電ユニット３００は、蓄電モジュール１０ＡがＸ方向に配列した蓄電モジュール１０Ａの列と、蓄電モジュール１０ＢがＸ方向に配列した蓄電モジュール１０Ｂの列がＺ方向に交互に積層され、隣接する蓄電モジュール１０が複数の連結部材３１０によって連結された構成を有する。
【００５６】
各連結部材３１０は導電性材料からなり、ネジ孔１１ｂに挿通されるネジ３１０ａによって二つの隣接する蓄電モジュール１０を連結し、両蓄電モジュール１０の正極端子１１ｃと負極端子１１ｄを電気的に接続する。
【００５７】
このように、各蓄電モジュール１０は、連結部材３１０によって正極端子１１ｃが一方の隣接する蓄電モジュール１０の負極端子１１ｄに接続され、負極端子１１ｄは他方の隣接する蓄電モジュール１０の正極端子１１ｃに接続されている。これにより、各蓄電モジュール１０は直列に接続されている。
【００５８】
図９は、本実施形態に係る別の蓄電ユニット４００の模式図である。同図に示すように蓄電ユニット４００は、複数の蓄電モジュール１０（１０Ａ）がＺ方向及に連結されて構成されている。
【００５９】
具体的には、蓄電ユニット４００は、第２プレート１７（図２参照）をＺ方向下方とする蓄電モジュール１０ＡがＺ方向に積層され、隣接する蓄電モジュール１０Ａが連結部材４１０及び連結部材４２０によって連結された構成を有する。
【００６０】
連結部材４１０は導電性材料からなり、ネジ孔１１ｂに挿通されるネジ４１０ａによって各蓄電モジュール１０を連結し、各蓄電モジュール１０の正極端子１１ｃを電気的に接続する。連結部材４２０は導電性材料からなり、ネジ孔１１ｂに挿通されるネジ４２０ａによって各蓄電モジュール１０を連結し、各蓄電モジュール１０の負極端子１１ｄを電気的に接続する。
【００６１】
このように、各蓄電モジュール１０は、連結部材４１０によって正極端子１１ｃが他の蓄電モジュール１０の正極端子１１ｃに接続され、連結部材４２０によって負極端子１１ｄが他の蓄電モジュール１０の負極端子に接続されている。これにより、各蓄電モジュール１０は並列に接続されている。
【００６２】
［冷却ジャケットについて］
本実施形態に係る蓄電モジュール１０は、冷却ジャケットと共に蓄電ユニットを構成することができる。図１０は、水冷ジャケットを備える蓄電ユニット５００の斜視図である。
【００６３】
同図に示すように蓄電ユニット５００は、蓄電モジュール１０（１０Ａ及び１０Ｂ）と水冷ジャケット５１０を備える。具体的には蓄電ユニット５００は、蓄電モジュール１０ＡがＸ方向に配列した蓄電モジュール１０Ａの列と、蓄電モジュール１０ＢがＸ方向に配列した蓄電モジュール１０Ｂの列が３つの水冷ジャケット５１０によって挟まれて構成されている。各蓄電モジュール１０は、連結部材５２０によって互いに接続されている。
【００６４】
連結部材５２０は導電性材料からなり、ネジ孔１１ｂに挿通されるネジ５２０ａによって二つの隣接する蓄電モジュール１０を連結し、両蓄電モジュール１０の正極端子１１ｃと負極端子１１ｄを電気的に接続する。
【００６５】
水冷ジャケット５１０は、内部を冷却水等の冷媒が流れるように構成されており、蓄電モジュール１０の第１プレート１６及び第２プレート１７と当接し、これらを冷却する。水冷ジャケット５１０が第１プレート１６及び第２プレート１７を強制的に冷却するため、蓄電ユニット５００はさらに高い冷却効果を得ることが可能である。なお、水冷ジャケット５１０の数は３つに限られず、少なくともいずれかの蓄電モジュール１０の第１プレート１６又は第２プレート１７に当接するように、構成されていればよい。
【００６６】
また、図１１は、空冷ジャケットを備える蓄電ユニット６００の斜視図である。同図に示すように蓄電ユニット６００は、蓄電モジュール１０（１０Ａ及び１０Ｂ）と空冷ジャケット６１０を備える。具体的には蓄電ユニット６００は、蓄電モジュール１０ＡがＸ方向に配列した蓄電モジュール１０Ａの列と、蓄電モジュール１０ＢがＸ方向に配列した蓄電モジュール１０Ｂの列が３つの空冷ジャケット６１０によって挟まれて構成されている。各蓄電モジュール１０は、連結部材６２０によって互いに接続されている。
【００６７】
連結部材６２０は導電性材料からなり、ネジ孔１１ｂに挿通されるネジ６２０ａによって二つの隣接する蓄電モジュール１０を連結し、両蓄電モジュール１０の正極端子１１ｃと負極端子１１ｄを電気的に接続する。
【００６８】
空冷ジャケット６１０は、内部を空気が流れるように構成されており、蓄電モジュール１０の第１プレート１６及び第２プレート１７と当接し、これらを冷却する。空冷ジャケット６１０が第１プレート１６及び第２プレート１７を強制的に冷却するため、蓄電ユニット６００はさらに高い冷却効果を得ることが可能である。なお、空冷ジャケット６１０の数は３つに限られず、少なくともいずれかの蓄電モジュール１０の第１プレート１６又は第２プレート１７に当接するように、構成されていればよい。
【００６９】
蓄電ユニットの構成は上記のものに限られず、蓄電モジュール１０を任意の形態でユニット化し、蓄電ユニットとすることができる。水冷ジャケットや空冷ジャケット等の冷却ジャケットの配置も上記のものに限られない。
【００７０】
［変形例］
フレーム１１は、二つのネジ孔１１ｂを備えるとしたが、ネジ孔１１ｂの替わりにフレーム１１から突出する雄ネジが設けられていてもよい。また、フレーム１１にはネジ孔と雄ネジが一つずつ設けられてもよい。
【００７１】
また、蓄電モジュール１０は、第１伝熱絶縁シート１８と第２伝熱絶縁シート１９を備えるとしたが、必ずしもこれらを備えなくてもよい。この場合、第１プレート１６及び第２プレート１７は直接に蓄電セル１２に当接し、蓄電セル１２から第１プレート１６及び第２プレート１７に熱が伝達される。
【符号の説明】
【００７２】
１０…蓄電モジュール
１１…フレーム
１２…蓄電セル
１６…第１プレート
１７…第２プレート
１８…第１伝熱絶縁シート
１９…第２伝熱絶縁シート
１００、２００、３００、４００、５００、６００…蓄電ユニット
１１０、２１０、３１０、４１０、５２０、６２０…連結部材
５１０…水冷ジャケット
６１０…空冷ジャケット
【図１】
2017069486.tif 000003
【図２】
2017069486.tif 000004
【図３】
2017069486.tif 000005
【図４】
2017069486.tif 000006
【図５】
2017069486.tif 000007
【図６】
2017069486.tif 000008
【図７】
2017069486.tif 000009
【図８】
2017069486.tif 000010
【図９】
2017069486.tif 000011
【図１０】
2017069486.tif 000012
【図１１】
2017069486.tif 000013